(57)【要約】【課題】  ユーザが閲覧を希望する情報を、少なくとも１つ以上の放送局のデータ放送情報の中から検索し、検索した情報をユーザが希望する手法で提示する。【解決手段】  データ放送情報制御装置１ａは、放送電波を分解して得たデータ放送情報を記憶するコンテンツ記憶部１１５ａ、データ放送情報が、指定されたキーワードを含むか判定するキーワード比較部１０５ａ、過去に検出されたキーワードを含むデータ放送情報を記憶する放送情報記憶部１０７ａ、キーワードを含むと判定されたデータ放送情報と、放送情報記憶部１０７ａに記憶されるキーワードと同じキーワードを含むデータ放送情報とを比較する放送情報比較部１０６ａと、比較の結果、判定されたデータ放送情報と同じキーワードを含むデータ放送情報とが一致しない場合、判定されたデータ放送情報を、指定された通知手法で表示するよう指示する通知指示部１１０ａを備える。【選択図】      図８
2015231202.tif 000002
【特許請求の範囲】
【請求項１】
放送電波を分解して得たデータ放送情報を記憶するコンテンツ記憶部と、
前記コンテンツ記憶部から取得する前記データ放送情報が、指定されたキーワードを含むか判定するキーワード比較部と、
過去に検出された前記キーワードを含むデータ放送情報を記憶する放送情報記憶部と、
前記キーワードを含むと判定されたデータ放送情報と、前記放送情報記憶部に記憶される、前記キーワードと同じキーワードを含むデータ放送情報とを比較する放送情報比較部と、
前記比較の結果、前記キーワードを含むと判定されたデータ放送情報と前記同じキーワードを含むデータ放送情報とが一致しない場合、前記キーワードを含むと判定されたデータ放送情報を、指定された通知手法で表示するよう指示する通知指示部
とを備える、データ放送情報制御装置。
【請求項２】
前記コンテンツ記憶部から取得する第１のデータ放送情報と、前記取得に先立って前記コンテンツ記憶部から取得された第２のデータ放送情報との差分を抽出し、前記抽出の結果、前記差分が存在する場合に、前記第２のデータ放送情報を前記表示するデータ放送情報の候補とするデータ解析部
とを更に備える、請求項１に記載のデータ放送情報制御装置。
【請求項３】
表示部の一部に前記データ放送情報を表示するよう加工する表示生成部を更に備え、
前記通知指示部は、前記指定された通知手法が前記表示部の一部に表示することである場合、前記キーワードを含むと判定されたデータ放送情報を、前記表示生成部に与える、請求項１又は２のいずれかに記載のデータ放送情報制御装置。
【請求項４】
前記表示部に表示する放送局チャンネルを切り替える表示切替部を更に備え、
前記通知指示部は、前記指定された通知手法が前記表示部にデータ放送として表示することである場合、前記キーワードを含むと判定されたデータ放送情報を前記表示切替部に与える、請求項１乃至３のいずれかに記載のデータ放送情報制御装置。
【請求項５】
自装置と接続されたデータ放送情報表示装置を更に備え、
前記通知指示部は、前記指定された通知手法が前記データ放送表示装置に表示することである場合、前記キーワードを含むと判定されたデータ放送情報を前記データ放送情報表示装置に与える、請求項１乃至４のいずれかに記載のデータ放送情報制御装置。
【請求項６】
前記放送電波を受信し、受信した前記放送電波を、映像、音声およびデータ放送情報に分解する信号受信部と、
前記信号受信部の前記放送電波の受信を制御する信号制御部を更に備え、
前記信号制御部は、前記制御に従い、前記信号受信部が受信する前記放送電波の放送局を切り替える、請求項１乃至５のいずれかに記載のデータ放送情報制御装置。
【請求項７】
前記放送電波を受信し、受信した前記放送電波を、映像、音声およびデータ放送情報に分解する信号受信部を少なくとも一つ以上備え、
前記信号制御部の各々は、其々異なる放送局の前記放送電波を受信する、請求項１乃至５のいずれかに記載のデータ放送情報制御装置。
【請求項８】
請求項１乃至７のいずれかに記載のデータ放送情報制御装置と、
前記表示部と、
前記データ放送情報表示装置
とを備え、
前記表示部は、前記データ放送情報制御装置と接続されるテレビ装置が有する表示部であり、
前記データ放送情報表示装置は、前記データ放送情報制御装置と接続される少なくとも前記データ放送情報を表示可能な装置である、
データ放送情報表示システム。
【請求項９】
放送電波を分解して得たデータ放送情報をコンテンツ記憶部が記憶し、
前記コンテンツ記憶部から取得する前記データ放送情報が、指定されたキーワードを含むか判定し、
過去に検出された前記キーワードを含むデータ放送情報を放送情報記憶部が記憶し、
前記キーワードを含むと判定されたデータ放送情報と、前記放送情報記憶部に記憶される前記キーワードと同じキーワードを含むデータ放送情報とを比較し、
前記比較の結果、前記キーワードを含むと判定されたデータ放送情報と前記同じキーワードを含むデータ放送情報とが一致しない場合、前記キーワードを含むと判定されたデータ放送情報を、指定された通知手法で表示するよう指示する
ことを特徴とするデータ放送情報制御方法。
【請求項１０】
放送電波を分解して得たデータ放送情報をコンテンツ記憶部が記憶する機能と、
前記コンテンツ記憶部から取得する前記データ放送情報が、指定されたキーワードを含むか判定する機能と、
過去に検出された前記キーワードを含むデータ放送情報を放送情報記憶部が記憶する機能と、
前記キーワードを含むと判定されたデータ放送情報と、前記放送情報記憶部に記憶される前記キーワードと同じキーワードを含むデータ放送情報とを比較する機能と、
前記比較の結果、前記キーワードを含むと判定されたデータ放送情報と前記同じキーワードを含むデータ放送情報とが一致しない場合、前記キーワードを含むと判定されたデータ放送情報を、指定された通知手法で表示するよう指示する機能
とを備え、上記の各機能をコンピュータに実現させるためのデータ放送情報制御プログラム。
【発明の詳細な説明】
【技術分野】
【０００１】
本発明は、受信した一つ以上のデータ放送の内容をユーザの要望に沿って表示するよう制御するデータ放送情報制御装置等に関する。
【背景技術】
【０００２】
ＢＳ(Broadcasting Satellite)デジタル放送、ＣＳ(Communications Satellite)放送、地上デジタル放送等は、映像音声信号とデータ放送情報を同時に配信する。データ放送では、映像音声信号に、文字コード、図形情報およびその他の情報が多重（重畳）されている。データ放送には、放送中の番組の情報を補うための番組補完型データ放送、および放送番組とは非連動型の独立型データ放送等がある。これらのデータ放送は放送局から一方向に送信されるので、ユーザは、どの放送局で、いつ、どのような情報が送信されるのかは分からない。更に、ユーザが所望の情報をデータ放送で見たい場合には、ユーザが手動で放送局のチャンネルの切り替えをして、テレビ画面に表示されるデータ放送の情報から、その所望する情報の捜索を行う必要がある。
【０００３】
特許文献１は、ユーザに予め設定された、ユーザが表示したいニュース、緊急情報等のデータ放送の情報を、ユーザがテレビを視聴している最中にテレビ映像の最前面に表示する技術を開示している。
【先行技術文献】
【特許文献】
【０００４】
【特許文献１】特開2009-296418号公報
【発明の概要】
【発明が解決しようとする課題】
【０００５】
特許文献１の技術では、テレビ映像の最前面に表示するデータ放送の情報は、ユーザが視聴中の放送局に対応するデータ放送に限られている。よって、ユーザの欲する情報が、ユーザが視聴していない放送局に対応するデータ放送に含まれていた場合、ユーザはそれを知ることはできない。
【０００６】
本発明は、上記の問題点を解決するべくなされた。本発明は、ユーザが閲覧を希望する情報を、受信可能な１つ以上の放送局のデータ放送の情報の中から検索し、検索した情報をユーザが希望する手法で提示することができるデータ放送情報制御装置等を提供することを主たる目的とする。
【課題を解決するための手段】
【０００７】
上記課題を解決するため、本発明の第１の観点は、放送電波を分解して得たデータ放送情報を記憶するコンテンツ記憶部と、コンテンツ記憶部から取得するデータ放送情報が、指定されたキーワードを含むか判定するキーワード比較部と、過去に検出されたキーワードを含むデータ放送情報を記憶する放送情報記憶部と、キーワードを含むと判定されたデータ放送情報と、放送情報記憶部に記憶される、キーワードと同じキーワードを含むデータ放送情報とを比較する放送情報比較部と、比較の結果、キーワードを含むと判定されたデータ放送情報と同じキーワードを含むデータ放送情報とが一致しない場合、キーワードを含むと判定されたデータ放送情報を、指定された通知手法で表示するよう指示する通知指示部とを備える、データ放送情報制御装置である。
【０００８】
本発明の第２の観点は、上記に記載のデータ放送情報制御装置と、表示部と、データ放送情報表示装置とを備え、表示部は、データ放送情報制御装置と接続されるテレビ装置が有する表示部であり、データ放送情報表示装置は、データ放送情報制御装置と接続される少なくともデータ放送情報を表示可能な装置である、データ放送情報表示システムである。
【０００９】
本発明の第３の観点は、放送電波を分解して得たデータ放送情報をコンテンツ記憶部が記憶し、コンテンツ記憶部から取得するデータ放送情報が、指定されたキーワードを含むか判定し、過去に検出されたキーワードを含むデータ放送情報を放送情報記憶部が記憶し、キーワードを含むと判定されたデータ放送情報と、放送情報記憶部に記憶されるキーワードと同じキーワードを含むデータ放送情報とを比較し、比較の結果、キーワードを含むと判定されたデータ放送情報と同じキーワードを含むデータ放送情報とが一致しない場合、キーワードを含むと判定されたデータ放送情報を、指定された通知手法で表示するよう指示することを特徴とするデータ放送情報制御方法である。
【００１０】
本発明の第４の観点は、放送電波を分解して得たデータ放送情報をコンテンツ記憶部が記憶する機能と、コンテンツ記憶部から取得するデータ放送情報が、指定されたキーワードを含むか判定する機能と、過去に検出されたキーワードを含むデータ放送情報を放送情報記憶部が記憶する機能と、キーワードを含むと判定されたデータ放送情報と、放送情報記憶部に記憶されるキーワードと同じキーワードを含むデータ放送情報とを比較する機能と、比較の結果、キーワードを含むと判定されたデータ放送情報と同じキーワードを含むデータ放送情報とが一致しない場合、キーワードを含むと判定されたデータ放送情報を、指定された通知手法で表示するよう指示する機能とを備え、上記の各機能をコンピュータに実現させるためのデータ放送情報制御プログラムである。
【発明の効果】
【００１１】
本発明によれば、ユーザが閲覧を希望する情報を、受信可能な１つ以上の放送局のデータ放送情報の中から検索し、検索した情報をユーザが希望する手法で提示することができる。
【図面の簡単な説明】
【００１２】
【図１】本発明の第一の実施形態に係るデータ放送情報表示システムの構成を示す図である。
【図２】本発明の第一の実施形態に係るデータ放送情報制御装置の構成を示す図である。
【図３】本発明の第一の実施形態に係るデータ放送情報制御装置が有する放送情報記憶部の内部データの構造を示す図である。
【図４】第一の実施形態に係るデータ放送情報制御装置の動作を示すフロー図である。
【図５】第一の実施形態に係るデータ放送情報制御装置の動作を示すフロー図である。
【図６】本発明の第二の実施形態に係るデータ放送情報表示システムの構成を示す図である。
【図７】第二の実施形態に係るデータ放送情報制御装置の動作を示すフロー図である。
【図８】本発明の第三の実施形態に係るデータ放送情報制御装置の構成を示す図である。
【図９】本発明の第一〜第三の実施形態に係るデータ放送情報制御装置のコンピュータ構成における一例を示す図である。
【発明を実施するための形態】
【００１３】
次に図面を参照して、本発明の実施形態を説明する。以下の図面の記載において、同一又は類似の部分には同一又は類似の符号を付している。ただし、図面は本発明の実施形態における構成を模式的に表している。更に以下に記載される本発明の実施形態は一例であり、その本質を同一とする範囲において適宜変更可能である。
＜第一の実施形態＞
（データ放送情報表示システム）
第一の実施形態に係るデータ放送情報表示システム１００は、図１に示すように、データ放送情報制御装置１、テレビ装置２およびデータ放送情報表示装置３を備える。
【００１４】
テレビ装置２は、一般的なテレビ装置と同様の構成を有し、ＢＳデジタル放送、ＣＳ放送、地上デジタル放送等のデジタル放送の電波を受信し、受信した電波を変調して、テレビ映像とデータ放送との情報を表示することができる。テレビ装置２は、テレビ映像とデータ放送とを表示するための表示部４を備える。データ放送情報表示装置３は、ユーザが通知を希望するデータ放送の情報、例えば緊急ニュース、列車遅延情報を表示するモニタである。データ放送情報表示装置３は、ユーザが通知を希望するデータ放送の情報を表示可能な画像表示領域を少なくとも備えた機器であればよい。例えば、データ放送情報表示装置３は、パーソナルコンピュータなどで使用されるディスプレイ装置、広告用に街頭に設置されるディスプレイ装置、一般的なテレビ装置、モニタを備えた携帯用通信端末（タブレット端末、スマートフォン端末）などである。この他、データ放送情報表示システム１００用に開発された専用のモニタ装置であってもよい。尚、データ放送情報表示装置３は、データ放送情報表示システム１００内に複数存在してもよい。
【００１５】
入出力装置５は、ユーザが閲覧を希望するキーワードおよびその通知方法を入力するための装置である。入出力装置５は、有線通信又は無線通信を介してデータ放送情報制御装置１に接続可能な、キーボード、プッシュボタン、タッチパネル等を備える装置である。具体的には、テレビ装置２のリモートコントローラ、ユーザのパーソナルコンピュータおよび携帯通信端末である。データ放送情報表示装置３が入出力装置５であってもよい。
【００１６】
データ放送情報制御装置１は、テレビ装置２が受信する全てのデジタル放送に対応するデータ放送の情報を受信し、これらの情報にユーザが通知を希望する情報があれば、テレビ装置２の表示部４とデータ放送情報表示装置３との少なくとも一方に表示させる。データ放送情報制御装置１は、図１ではテレビ装置２に内蔵されているが、テレビ装置２の外部に、テレビ装置２と接続可能に設置されてもよい。また、データ放送情報制御装置１は、データ放送情報表示装置３と有線通信、無線通信またはこれらが適宜組み合わされた通信回線を介して接続されている。データ放送情報制御装置１は、ユーザが通知を希望する情報を、データ放送情報表示装置３に送信する。
（データ放送情報制御装置）
データ放送情報制御装置１は、図２に示すように、信号受信部１０１、データ解析部１０２、キーワード登録部１０３、キーワード記憶部１０４、キーワード比較部１０５、放送情報比較部１０６、放送情報記憶部１０７、通知方法登録部１０８、通知方法記憶部１０９、通知指示部１１０、表示生成部１１１、表示切替部１１２、通知生成部１１３、表示合成部１１４、コンテンツ記憶部１１５、信号制御部１１７を備える。
【００１７】
信号受信部１０１は、外部アンテナから電波を受信し、受信した電波を復調し、復調した信号に含まれる情報を、映像、音声およびデータ放送情報に分解する。信号受信部１０１は、分解された映像と音声とを、ストリームとして表示合成部１１４に送信する。信号受信部１０１は、分解されたデータ放送情報をコンテンツ記憶部１１５に送信する。コンテンツ記憶部１１５は、受信したデータ放送情報を一時格納する。このとき、データ放送では、カルーセル伝送方式によって、同じ放送内容がファイル形式で周期的に送信される。データ放送の内容は、コンテンツファイルとして、コンテンツ記憶部１１５に記憶される。
【００１８】
データ解析部１０２は、コンテンツ記憶部１１５において、コンテンツ表示に必要なファイル一式の格納が完了すると、このファイルを取得し、ファイル中のＢＭＬ（Broadcast Markup Language）形式で記述されたデータ放送情報のコンテンツから、テキスト文章を抽出する処理を行う。この処理では、抽出されたテキスト文章中に含まれるリンクをたどり、更に別のテキスト文章を抽出するという動作を繰り返す、いわゆるクローラ処理を行う。尚、データ解析部１０２は、クローラ処理によって前回抽出されたテキスト文章を一時記憶している。この後、データ解析部１０２は、抽出されたテキスト文章を、前回抽出されたテキスト文章と比較することで、これらの差分を解析する。これは、データ放送では、カルーセル伝送方式によって全く同じ内容が周期的に送信されることがあるからである。
【００１９】
キーワード登録部１０３は、入出力装置５を介してユーザに登録された、ユーザがデータ放送から検出したい（通知されたい）キーワードを取得し、取得したキーワードをキーワード記憶部１０４に格納する。この際、キーワードに付随する情報、例えば、キーワードを検索する放送局、時間帯または番組ジャンルなどを登録してもよい。例えば、「キーワード：世界情勢、放送局：ＮＨＫ＜ｃｈ（channel）１、ｃｈ２＞およびＴＢＳ＜ｃｈ６＞、時間帯：19：00〜22：00、番組ジャンル：ニュース番組」のように組み合わせる。尚、これらの付随する情報の一部を組み合わせてもよい。
【００２０】
キーワード記憶部１０４は、ユーザに登録されたキーワードを記憶する。キーワードに付随するキーワード（放送局、時間帯または番組ジャンル等）を一緒に登録してもよい。
【００２１】
キーワード比較部１０５は、データ解析部１０２から受信するテキスト文章と、キーワード記憶部１０４から取得するキーワードを比較する。
【００２２】
放送情報記憶部１０７は、これまでに検出された、キーワードを含むテキスト文章およびそれに付随する情報を格納する。具体的には放送情報記憶部１０７は、図３に示すように、取得番号、取得した日付、取得した時間、取得したチャンネル（放送局）、番組名、キーワード、テキスト文章等の情報をデータベースとして関連付けて格納する。
【００２３】
放送情報比較部１０６は、キーワードが含まれるテキスト文章をキーワード比較部１０５から受信し、受信したテキスト文章が、放送情報記憶部１０７に格納されるこれまでにキーワードが検出されたテキスト文章と一致するかを比較する。比較の結果、これらのテキスト文章の内容が異なる場合は、放送情報比較部１０６は、通知指示部１１０にこのテキスト文章を送信する。また、このテキスト文章を放送情報記憶部１０７に格納する。比較の結果、これらのテキスト文章の内容が同じである場合は、放送情報比較部１０６は、このテキスト文章を破棄する。これは、ニュース番組のように、同じ内容を多数の放送局で放送しており、ユーザにこれら全てを通知するのが冗長である場合があるからである。尚、これら全てを通知することをユーザが選択できるようにしてもよい。この場合は、全ての放送局のテキスト文章を表示する。
【００２４】
通知方法登録部１０８は、キーワードを含むテキスト文章が検出された場合に、どのように検出結果を通知するかを、ユーザに選択させるよう促す。選択は、入出力装置５を介して行われる。ユーザに選択された通知の方法は、通知方法記憶部１０９に格納する。ユーザに選択させる通知方法は、例えば、「１．テレビ画面に表示する」、「２．視聴中の放送局を、キーワードを含むテキスト文章の放送局に切り替える」、「３．データ放送情報表示装置に表示する」から一つ以上選択させるようにする。尚、「１．テレビ画面に表示する」が選択された場合には、テロップ表示するか、ポップアップ表示するか等を選択させてもよい。
【００２５】
通知方法記憶部１０９は、ユーザに選択された、キーワードを含むテキスト文章の通知の方法を記憶する。
【００２６】
通知指示部１１０は、通知方法記憶部１０９からユーザが希望する通知方法を取得すると、この方法に従って、放送情報比較部１０６から与えられたテキスト文章情報およびこの情報元の放送局を表示生成部１１１、表示切替部１１２および通知生成部１１３の少なくとも１つ以上に送信する。
【００２７】
表示生成部１１１は、通知指示部１１０からテキスト文章を受信し、受信したテキスト文章を表示部４に表示するための表示情報を生成し、生成した表示情報を、表示合成部１１４に送信する。
【００２８】
表示切替部１１２は、通知指示部１１０からテキスト文章の情報元の放送局を受信し、受信した放送局に表示部４で表示する映像音声ストリームを切り替えるための情報を生成し、表示部４に送信する。このとき、表示部４が電源オフ状態の場合には、電源をオンにするための情報も表示部４に送信する。
【００２９】
通知生成部１１３は、通知指示部１１０からテキスト文章を受信し、受信したテキスト文章をデータ放送情報表示装置３に表示するための情報を生成し、生成した情報を、データ放送情報表示装置３に送信する。
【００３０】
表示合成部１１４は、信号受信部１０１から受信する映像データと、表示生成部１１１から受信するテキスト文章の情報を重ねあわせて映像データを生成し、生成された映像データ、音声データおよびデータ放送情報を、表示部４に送信する。
【００３１】
表示部４は、表示合成部１１４から受信する映像データを表示する。または、表示部４は、表示切替部１１２から受信する放送局の情報に従い、この放送局に映像音声ストリームのチャンネルを切り替えると共に、この放送局のデータ放送のテキスト文章を含む情報を表示する。
【００３２】
信号制御部１１７は、信号受信部１０１の受信放送チャンネルを切り替える。具体的には、信号制御部１１７は、信号受信部１０１が受信電波の中のどの放送局にチューニングを合わせてデータ放送を取得するか、またどのタイミングで受信する放送局の切り替えを行うかを制御する。放送局の切り替えは、放送情報比較部１０６においてある放送局のデータ放送情報の全てのテキスト文章の比較が完了し、その完了の通知を信号制御部１１７が受信した際に行う。又は、信号制御部１１７にタイマー機能を備えさせ、所定の時間間隔毎（例えば３分毎）に、放送局の切り替えを行ってもよい。放送局の切り替えの順番は、基本的には、次のチューニングが合わせやすい順（即ち物理チャンネルの値が近い順、例えば、２７ｃｈ、２６ｃｈ，２５ｃｈ等の順）で行われる。全ての放送局ではなく、いくつかの放送局がユーザから指定され、且つその放送局が複数あった場合は、それらの放送局の物理チャンネルの値が近い順に切り替える。
（データ放送情報表示システムの動作）
次にデータ放送情報制御装置１を含むデータ放送情報表示システム１００の動作について図４に示すフローチャートを参照して説明する。
【００３３】
ステップＳ１０１において、信号受信部１０１は、外部アンテナから電波を受信する。この時、信号制御部１１７は、信号受信部１０１が受信すべき放送局（チャンネル）を制御する。信号受信部１０１は、信号制御部１１７の指定する放送局の受信電波を復調し、復調した信号に含まれる情報を、映像、音声およびデータ放送情報に分解する。信号受信部１０１は、分解された映像と音声とをストリームとして表示合成部１１４に送信する。信号受信部１０１は、分解されたデータ放送情報をコンテンツ記憶部１１５に格納する。
【００３４】
ステップＳ１０２において、データ解析部１０２は、コンテンツ記憶部１１５において、コンテンツ表示に必要なファイル一式の格納が完了すると、このファイルを取得し、ファイル中のＢＭＬ形式で記述されたデータ放送情報のコンテンツから、テキスト文章を抽出する。この処理では、抽出されたテキスト文章中に含まれるリンクをたどり、更に別のテキスト文章を抽出するという動作を繰り返す、いわゆるクローラ処理を行う。データ解析部１０２は、抽出されたテキスト文章を、前回抽出されたテキスト文章と比較することで、これらの差分を解析する。これは、データ放送では、カルーセル伝送方式によって全く同じ内容が周期的に送信されることがあるからである。解析の結果、差分が有る場合、データ解析部１０２は、抽出されたテキスト文章をキーワード比較部１０５に送信する。解析の結果、差分が無い場合、データ解析部１０２は、抽出されたテキスト文章を廃棄する。
【００３５】
ステップＳ１０３において、キーワード比較部１０５は、キーワード記憶部１０４からキーワードを取得する。キーワード記憶部１０４には、キーワード登録部１０３を介してユーザに予め登録された、ユーザがデータ放送から検出したい（通知されたい）キーワードが格納されている。
【００３６】
ステップＳ１０４において、キーワード比較部１０５は、データ解析部１０２から受信するテキスト文章と、キーワード記憶部１０４から取得したキーワードを比較する。
【００３７】
ステップＳ１０５において、比較の結果、このテキスト文章にこのキーワードが含まれる場合には、キーワード比較部１０５は、放送情報比較部１０６にこのテキスト文章を送信し、ステップＳ１０６の処理へ進む。比較の結果、このテキスト文章にこのキーワードが含まれない場合には、キーワード比較部１０５は、このテキスト文章を破棄し、ステップＳ１０９の処理へ進む。
【００３８】
ステップＳ１０６において、放送情報比較部１０６は、キーワードが含まれるテキスト文章をキーワード比較部１０５から受信すると、受信したテキスト文章が、放送情報記憶部１０７に格納されている、これまでにキーワードが検出されたテキスト文章と一致するかを比較する。
【００３９】
ステップＳ１０７において、比較の結果、これらのテキスト文章の内容が異なる場合、ステップＳ１０８において、放送情報比較部１０６が、通知指示部１１０にこのテキスト文章を送信する。また、このテキスト文章を放送情報記憶部１０７に格納する。比較の結果、これらのテキスト文章の内容が同じである場合、放送情報比較部１０６は、このテキスト文章を破棄し、ステップＳ１０９の処理へ進む。これは、ニュース番組のように、同じ内容を多数の放送局で放送しており、ユーザにこれら全てを通知するのが冗長である場合があるからである。
【００４０】
ステップＳ１０９において、放送情報比較部１０６は、全ての登録キーワードが、全てのテキスト文章と比較されたか否かを確認する。比較対象となるテキスト文章が残っている場合はステップＳ１０４の処理へ戻る。比較対象となるテキスト文章が残っていない場合はステップＳ１１０の処理へ進む。
【００４１】
ステップＳ１１０において、放送情報比較部１０６は、全ての登録キーワードと全てのテキスト文章との比較が、全ての放送局において終了したか否かを確認する。当該比較が全ての放送局において終了したならばステップＳ１１１の処理へ進む。当該比較が全ての放送局において終了していないならばステップＳ１０１へ戻り、信号制御部１１７は、未だデータ放送情報を取得していない放送局に切り替えるよう信号受信部１０１に指示する。
【００４２】
ステップＳ１１１においては、通知指示部１１０がキーワードと一致するテキスト文章の表示を指示する。詳細は後述する。指示終了後、本フローチャートの動作を終了する。
【００４３】
次に、ステップＳ１１１の通知指示部１１０の動作について図５に示すフローチャートを参照して説明する。
【００４４】
まず、ステップＳ２０１において、通知指示部１１０は、通知方法記憶部１０９からユーザが希望する通知方法を取得すると、この方法に従って、放送情報比較部１０６から与えられたテキスト文章情報およびこの情報元の放送局を表示生成部１１１、表示切替部１１２および通知生成部１１３の少なくとも１つ以上に送信する。通知方法記憶部１０９には、通知方法登録部１０８を介して取得した、キーワードを含むテキスト文章が検出された場合にどのように検出結果を通知するかをユーザが選択した結果が格納されている。
【００４５】
ステップＳ２０２において、通知指示部１１０は、通知方法の選択が「１．テレビ画面に表示する」であればステップＳ２０３の処理へ進む。「２．視聴中の放送局を、キーワードを含むテキスト文章の放送局に切り替える」であればステップＳ２０５の処理へ進む。「３．データ放送情報表示装置に表示する」であればステップＳ２０９の処理へ進む。
【００４６】
ステップＳ２０３においては、「１．テレビ画面に表示する」が通知方法として選択されているので、表示生成部１１１にテキスト文章の情報を送信する。表示方法は、テロップ表示およびポップアップ表示のいずれか１つを選択させてもよい。
【００４７】
ステップＳ２０４において、表示生成部１１１は、通知指示部１１０からテキスト文章を受信すると、受信したテキスト文章を表示部４に表示するための表示情報を生成し、生成した情報を表示合成部１１４に送信する。表示合成部１１４は、信号受信部１０１から受信する映像データと、表示生成部１１１から受信するテキスト文章とを重ねあわせて映像データを生成し、生成された映像データ、音声データおよびデータ放送情報を、表示部４に送信する。本ステップで行う映像データとテキスト文章とを重ね合わせる手順は、現在、一般的に知られている技術を採用できるので、本文における説明は省略する。
【００４８】
ステップＳ２０５においては、「２．視聴中の放送局を、キーワードを含むテキスト文章の放送局に切り替える」が通知方法として選択されているので、表示切替部１１２にテキスト文章とその情報元の放送局を送信する。
【００４９】
ステップＳ２０６において、表示切替部１１２は、表示部４の電源がオンになっているかを調べ、電源がオフである場合にはステップＳ２０７の処理へ進み表示部４の電源を投入する。電源がオンである場合にはステップＳ２０８の処理へ進む。
【００５０】
ステップＳ２０８においては、表示切替部１１２が、表示部４にて現在放送中の放送局と、テキスト文章の情報元の放送局が一致するかを調べ、一致する場合は、放送局は変えずに、テキスト文章を含むデータ放送の情報を表示する。一致しない場合は、テキスト文章の情報元の放送局にチャンネルを変更し、変更後の放送局で、テキスト文章を含むデータ放送の情報を表示する。これらの表示は、テロップ表示およびポップアップ表示等の、ユーザに予め指定されている方法で行う。
【００５１】
ステップＳ２０９においては、「３．データ放送情報表示装置に表示する」が通知方法として選択されているので、通知生成部１１３にテキスト文章を送信する。通知生成部１１３は、通知指示部１１０からテキスト文章を受信し、受信したテキスト文章をデータ放送情報表示装置３に表示するための情報を生成し、データ放送情報表示装置３に送信する。データ放送情報表示装置３は受信するテキスト文章を画面に表示する。
【００５２】
第一の実施形態に係るデータ放送情報制御装置１によれば、ユーザが閲覧を希望する情報を、受信可能な少なくとも１つ以上の放送局のデータ放送情報の中から検索し、検索した情報をユーザが希望する手法で提示することができる。
データ放送情報制御装置１は、ユーザに閲覧したいキーワードを予め登録させておき、この登録されたキーワードを基に、受信可能な１つ以上の放送局のデータ放送情報の中から検索する。これにより、ユーザの欲しい情報が、ユーザが視聴していない放送局に対応するデータ放送に含まれていた場合や、ユーザがテレビ装置２の映像表示を一時的に停止している場合であっても、ユーザはそれを閲覧することができる。また、検索結果は、ユーザが希望する一つ以上の手法で提示することができる。これにより、ユーザは放送局のデータ放送を手動で切り替えて検索せずとも、常にユーザの欲しい最新の情報を、簡単に閲覧することができる。
【００５３】
更に、データ解析部１０２ではカルーセル伝送方式で受信する同一コンテンツファイルを破棄する。キーワード比較部１０５では、キーワードを含まないテキスト文章（データ放送情報）を破棄する。放送情報比較部１０６では、同一キーワードを含んでいるテキスト文章であっても、既にユーザに通知済みの内容のものは破棄する。これらのテキストデータの破棄により、似たような内容のテキスト文章を冗長的にユーザに配信することを防ぐことができる。
＜第二の実施形態＞
（データ放送情報表示システム）
第二の実施形態に係るデータ放送情報表示システム２００は、第一の実施形態と同様に、データ放送情報制御装置１１、テレビ装置２、データ放送情報表示装置３および入出力装置５を備える。テレビ装置２は表示部４を備える。
（データ放送情報制御装置）
第二の実施形態に係るデータ放送情報制御装置１１は、図６に示すように、信号受信部１０１ａ、１０１ｂおよび１０１ｃ、データ解析部１０２、キーワード登録部１０３、キーワード記憶部１０４、キーワード比較部１０５、放送情報比較部１０６、放送情報記憶部１０７、通知方法登録部１０８、通知方法記憶部１０９、通知指示部１１０、表示生成部１１１、表示切替部１１２、通知生成部１１３、表示合成部１１４を備える。
【００５４】
第一の実施形態と異なる構成を述べると、データ放送情報制御装置１１は、アンテナおよびこれに接続する信号受信部１０１ａ〜１０１ｃを、受信する放送局のチャンネルの数分備えている。即ち、ユーザが全放送局のデータ放送の受信を希望するならば、全データ放送を受信するための信号受信部１０１ａ〜１０１ｃを備える。また、全データ放送ではなく、ユーザが受信したいデータ放送を一つ以上選択するならば、その選択されたデータ放送の数分、信号受信部１０１ａ〜１０１ｃを備えさせる。これを実現するには、出荷時から、全データ放送分の信号受信部１０１ａ〜１０１ｃを予め備えさせても良い。または特定の数、例えば３つのみ信号受信部１０１ａ〜１０１ｃを予め備えさせ、ユーザに全ての放送局からこの特定の数分の放送局を選択させてもよい。ユーザが選択したいデータ放送がこの特定の数以上になるならば、信号受信部１０１ａ〜１０１ｃを後付けで増設してもよい。国および地域別にデータ放送の種類および数は異なるが、どのような場合でもユーザの選択するデータ放送を受信可能とするため、上記のいずれの手法を採用してもよい。更に、データ放送情報制御装置１１は、信号制御部１１７を備えていない。これは上述のように、ユーザが選択するデータ放送の数分信号受信部１０１ａ〜１０１ｃを備えるため、放送局を切り替える必要がないからである。
【００５５】
信号受信部１０１ａ〜１０１ｃは、外部のアンテナから所定の放送局の電波を受信し、受信した電波を復調し、復調した信号に含まれる、映像、音声およびデータ放送情報に分解する。尚、図６では信号受信部１０１ａ〜１０１ｃは３つ存在するが、これは一例であり、信号受信部１０１ａ〜１０１ｃは、受信したいデータ放送の数分存在して良い。信号受信部１０１ａ〜１０１ｃは各々が異なる放送局のデジタル放送を受信する。信号受信部１０１ａ〜１０１ｃは、分解された映像と音声をストリームとして表示合成部１１４に送信する。信号受信部１０１ａ〜１０１ｃは、分解されたデータ放送情報を、コンテンツファイルとしてコンテンツ記憶部１１５に一時格納する。
【００５６】
その他の各装置および各部は第一の実施形態と同様であるため説明を省略する。
（データ放送情報表示システムの動作）
次にデータ放送情報制御装置１１を含むデータ放送情報表示システム２００の動作について図７に示すフローチャートを参照して説明する。以下の説明において、ユーザが受信したい放送局は既に選択され、信号受信部１０１ａ〜１０１ｃの各々にそれらの放送局は対応させてあるものとする。
【００５７】
ステップＳ３０１において、信号受信部１０１ａ〜１０１ｃの各々は、外部のアンテナから異なる放送局の電波を受信する。信号受信部１０１ａ〜１０１ｃは、各放送局の受信電波を復調し、復調した信号に含まれる情報を、映像、音声およびデータ放送情報に分解する。信号受信部１０１ａ〜１０１ｃは、分解された映像と音声をストリームとして表示合成部１１４に送信する。信号受信部１０１ａ〜１０１ｃは、分解されたデータ放送情報をコンテンツ記憶部１１５に格納する。
【００５８】
ステップＳ３０２において、データ解析部１０２は、コンテンツ記憶部１１５からテキスト文章を抽出する。データ解析部１０２は、抽出されたテキスト文章を、前回抽出されたテキスト文章と比較することで、これらの差分を解析する。解析の結果、差分が有る場合、データ解析部１０２は、抽出されたテキスト文章をキーワード比較部１０５に送信する。解析の結果、差分が無い場合、データ解析部１０２は、抽出されたテキスト文章を廃棄する。
【００５９】
ステップＳ３０３において、キーワード比較部１０５は、キーワード記憶部１０４からキーワードを取得する。
【００６０】
ステップＳ３０４において、キーワード比較部１０５は、データ解析部１０２から受信するテキスト文章と、キーワード記憶部１０４から取得したキーワードを比較する。
【００６１】
ステップＳ３０５において、比較の結果、このテキスト文章にこのキーワードが含まれる場合には、キーワード比較部１０５は、放送情報比較部１０６にこのテキスト文章を送信し、ステップＳ３０６の処理へ進む。比較の結果、このテキスト文章にこのキーワードが含まれない場合には、キーワード比較部１０５は、このテキスト文章を破棄し、ステップＳ３０９の処理へ進む。
【００６２】
ステップＳ３０６において、放送情報比較部１０６は、キーワードが含まれるテキスト文章をキーワード比較部１０５から受信すると、受信したテキスト文章が、放送情報記憶部１０７に格納されるこれまでにキーワードが検出されたテキスト文章と一致するかを比較する。
【００６３】
ステップＳ３０７において、比較の結果、これらのテキスト文章の内容が異なる場合、ステップＳ３０８において、放送情報比較部１０６が、通知指示部１１０にこのテキスト文章を送信する。また、このテキスト文章を放送情報記憶部１０７に格納する。比較の結果、これらのテキスト文章の内容が同じである場合、放送情報比較部１０６は、このテキスト文章を破棄し、ステップＳ３０９の処理へ進む。
【００６４】
ステップＳ３０９において、放送情報比較部１０６は、全ての登録キーワードが、全てのテキスト文章と比較されたか否かを確認する。比較対象となるテキスト文章が残っている場合はステップＳ３０４の処理へ戻る。比較対象となるテキスト文章が残っていない場合はステップＳ３１０の処理へ進む。
【００６５】
ステップＳ３１０においては、通知指示部１１０がキーワードと一致するテキスト文章の表示を指示する。この指示完了後、本フローチャートの動作を終了する。
【００６６】
尚、ステップＳ３１０の詳細な動作は、第一の実施形態のステップＳ１１１の詳細な動作（ステップＳ２０１〜２０９、図５参照）と同様であるため説明を省略する。
【００６７】
第二の実施形態に係るデータ放送情報制御装置１１によれば、ユーザが閲覧を希望する情報を、受信可能な少なくとも１つ以上の放送局のデータ放送情報の中から検索し、検索した情報をユーザが希望する手法で提示することができる。データ放送情報制御装置１１は、閲覧したいキーワードおよびキーワードを取得したい放送局を予めユーザに登録させ、この登録されたキーワードを基に、ユーザが受信を希望する放送局のデータ放送情報の中から検索する。これにより、ユーザの欲しい情報が、ユーザが視聴していない放送局に対応するデータ放送に含まれていた場合であっても、ユーザはそれを閲覧することができる。
【００６８】
また、検索結果は、ユーザが希望する一つ以上の手法で提示することができる。これにより、ユーザは放送局のデータ放送を手動で切り替えて検索せずとも、常にユーザの欲しい最新の情報を、簡単に閲覧することができる。
【００６９】
更に、データ放送情報制御装置１１は、アンテナおよび信号受信部１０１ａ〜１０１ｃを受信する放送局の数分備える。これにより、受信する放送局の切り替え制御を不要とすることができる。
＜第三の実施形態＞
（データ放送情報制御装置）
本発明の第三の実施形態に係るデータ放送情報制御装置１ａは、図８に示すように、コンテンツ記憶部１１５ａ、キーワード比較部１０５ａ、放送情報記憶部１０７ａ、放送情報比較部１０６ａおよび通知指示部１１０ａを備える。
【００７０】
コンテンツ記憶部１１５ａは、映像、音声およびデータ放送情報に分解されたデータ放送情報を一時記憶する。
【００７１】
キーワード比較部１０５ａは、コンテンツ記憶部１１５ａから取得するデータ放送情報が、ユーザが指定するキーワードを含むか判定する。
【００７２】
放送情報記憶部１０７ａは、過去に検出されたキーワードを含むデータ放送情報を格納する。
【００７３】
放送情報比較部１０６ａは、キーワードを含むと判定されたデータ放送情報と、放送情報記憶部１０７ａに格納されるキーワードと同じキーワードを含むデータ放送情報とを比較する。
【００７４】
通知指示部１１０ａは、上記の比較の結果、両データ放送情報が一致しない場合、キーワードを含むと判定されたデータ放送情報を、ユーザの指定する通知方法で表示するよう指示する。
【００７５】
第三の実施形態に係るデータ放送情報制御装置１ａによれば、ユーザが閲覧を希望する情報を、受信可能な少なくとも１つ以上の放送局のデータ放送情報の中から検索し、検索した情報をユーザが希望する手法で提示することができる。データ放送情報制御装置１１ａは、閲覧したいキーワードおよびキーワードを取得したい放送局を予めユーザに登録させ、この登録されたキーワードを基に、ユーザが受信を希望する全ての放送局のデータ放送情報の中から検索する。これにより、ユーザの欲しい情報が、ユーザが視聴していない放送局に対応するデータ放送に含まれていた場合であっても、ユーザはそれを閲覧することができる。
【００７６】
尚、上述したデータ放送情報制御装置１、１１、１ａ内の各部は、機能ブロックを表しており、これらの機能はハードウェア装置で実現されてもよいし、機能単位のプログラムとして情報処理装置（コンピュータ）を介して実現されてもよい。情報処理装置を用いた場合、図２および６に示した各部のうち、少なくともデータ解析部１０２、キーワード登録部１０３、キーワード比較部１０５、放送情報比較部１０６、通知方法登録部１０８、通知指示部１１０、表示生成部１１１、表示切替部１１２、通知生成部１１３、表示合成部１１４、信号制御部１１７は、ソフトウェアプログラムの機能（処理）単位（ソフトウェアモジュール）と捉えることができる。これらの機能（処理）を実現可能なハードウェア環境の一例を、図９を参照して説明する。但し、これらの図面に示した各部の区分けは、説明の便宜上の構成であり、実装に際しては、様々な構成が想定され得る。
【００７７】
図９は、本発明の実施形態に係るデータ放送情報制御装置１、１１、１ａを実行可能な情報処理装置１０００の構成を例示的に説明する図である。
【００７８】
図９に示した情報処理装置１０００は、以下の構成がバス（通信線）を介して接続された一般的なコンピュータである。
【００７９】
・ＣＰＵ（Central Processing Unit）１００１、
・ＲＯＭ（Read Only Memory）１００２、
・ＲＡＭ（Random Access Memory）１００３、
・記憶装置１００４、
・入出力ユーザインタフェース（Interface：以降、「Ｉ／Ｆ」と称する）１００５、
・外部装置との通信Ｉ／Ｆ１００６。
【００８０】
入出力ユーザＩ／Ｆ１００５は、図２および６に示す入出力装置５に相当する。通信Ｉ／Ｆ１００６は、図２および６に示す信号制御部１０１、データ放送情報表示装置３、表示部４に相当する。
【００８１】
そして、上述したハードウェア環境において、上述した実施形態は、以下の手順によって達成される。即ち、図９に示した情報処理装置１０００に対して、その実施形態の説明において参照したブロック構成図（図２、６、８）、或いはフローチャート（図４、５、７）の機能を実現可能なコンピュータ・プログラムが供給される。その後、そのコンピュータ・プログラムは、当該ハードウェアのＣＰＵに読み出されて解釈され、ＣＰＵにおいて実行される。また、当該装置内に供給されたコンピュータ・プログラムは、読み書き可能な揮発性の記憶メモリ（ＲＡＭ）または記憶装置等の不揮発性の記憶デバイスに格納すればよい。
【符号の説明】
【００８２】
１        データ放送情報制御装置
１ａ      データ放送情報制御装置
２        テレビ装置
３        データ放送情報表示装置
４        表示部
５        入出力装置
１１      データ放送情報制御装置
１００    データ放送情報表示システム
１０１    信号受信部
１０１ａ  信号受信部
１０１ｂ  信号受信部
１０１ｃ  信号受信部
１０２    データ解析部
１０３    キーワード登録部
１０４    キーワード記憶部
１０５    キーワード比較部
１０５ａ  キーワード比較部
１０６    放送情報比較部
１０６ａ  放送情報比較部
１０７    放送情報記憶部
１０７ａ  放送情報記憶部
１０８    通知方法登録部
１０９    通知方法記憶部
１１０    通知指示部
１１０ａ  通知指示部
１１１    表示生成部
１１２    表示切替部
１１３    通知生成部
１１４    表示合成部
１１５    コンテンツ記憶部
１１５ａ  コンテンツ記憶部
１１７    信号制御部
２００    データ放送情報表示システム
１０００  情報処理装置
【図１】
2015231202.tif 000003
【図２】
2015231202.tif 000004
【図３】
2015231202.tif 000005
【図４】
2015231202.tif 000006
【図５】
2015231202.tif 000007
【図６】
2015231202.tif 000008
【図７】
2015231202.tif 000009
【図８】
2015231202.tif 000010
【図９】
2015231202.tif 000011